(57)【要約】【課題】手乾燥室内にこの手乾燥室の対向する壁面を遮蔽しかつ上下方向に移動するＶ字状のローラシートを設け、濡れた手の乾燥時に飛散した水滴やゴミなどをこのローラシートに付着させて自動的に除去することにより、手乾燥室を常に清潔に保持することのできる手乾燥装置を提供すること。【解決手段】上部に開口部２を有する本体ケース１、上部に開口部６を有し下部にドレン水回収容器２５が収容されて本体ケース１内に設けられた有底の手乾燥室５、この手乾燥室５の上部と本体ケース１との間に設けられ、本体ケース１に設けた高圧空気流発生手段８からの高圧空気気流を噴出する空気吹出し口９を有し、手乾燥室５内に、Ｖ字状に配設されて手乾燥室５の対向する壁面を遮蔽すると共に上下方向に移動するローラシート２２を設け、このローラシート２２の間に形成された手挿入部１５に挿入した手３０の乾燥時に飛散した水滴やゴミなどをローラシート２２に付着させて除去する。【選択図】図１
2011167436.tif 000002
【特許請求の範囲】
【請求項１】
上部に開口部を有する本体ケース、上部に開口部を有し下部にドレン水回収容器が収容されて前記本体ケース内に設けられた有底の手乾燥室、該手乾燥室の上部と前記本体ケースとの間に設けられ、前記本体ケースに設けた高圧空気流発生手段からの高圧空気気流を噴出する空気吹出し口を有し、
前記手乾燥室内に、Ｖ字状に配設されて該手乾燥室の対向する壁面を遮蔽すると共に上下方向に移動するローラシートを設け、該ローラシートの間に形成された手挿入部に挿入した手の乾燥時に飛散した水滴やゴミなどを前記ローラシートに付着させて除去することを特徴とする手乾燥装置。
【請求項２】
前記手乾燥室内に、駆動ローラ、回転ローラ及びこれら両ローラの間に掛けられたエンドレスのローラシートからなる奥行方向に長い一対のローラシート機構によって構成した回転清掃装置を、前記駆動ローラを上にしてほぼＶ字状に配置し、前記ローラシート機構の間に手挿入部を形成したことを特徴とする請求項１記載の手乾燥装置。
【請求項３】
前記回転清掃装置の下部に設けた回転ローラの近傍に自動清掃具を配置し、該自動清掃具により移動する前記ローラシートに付着した水滴やゴミ等を掻き落すことを特徴とする請求項２記載の手乾燥装置。
【請求項４】
前記回転清掃装置の下部に設けた回転ローラを、左右方向に移動可能に構成したことを特徴とする請求項２又は３記載の手乾燥装置。
【請求項５】
上部に開口部を有する本体ケース、上部に開口部を有し前記本体ケース内に設けられたほぼＶ字状の手乾燥室、該手乾燥室の上部と前記本体ケースとの間に設けられ、前記本体ケースに設けた高圧気流発生手段からの高圧空気流を噴出する空気吹出し口を有し、
前記手乾燥室内に、該手乾燥室の上部の左右の内壁にそれぞれ支持された一対の上部回転ローラと、前記手乾燥室の底部の上下方向に支持された一対の下部回転ローラと、これら各ローラの間に掛けられたエンドレスのローラシートとからなる奥行方向に長い回転清掃装置をほぼＶ字状に配置し、前記一方の上部回転ローラの一方を駆動ローラとし、前記回転清掃装置のローラシートの間に手挿入部を形成したことを特徴とする手乾燥装置。
【請求項６】
前記回転清掃装置を、奥行方向の後部側を高く前部側を低く傾斜して設置したことを特徴とする請求項５記載の手乾燥装置。
【請求項７】
前記回転清掃装置の前面側に、上部の下部回転ローラに近接して着脱可能にドレン水排水管を設け、該ドレン水排水管の上部開口部を前記上部の下部回転ローラの奥まで延設したことを特徴とする請求項５又は６記載の手乾燥装置。
【請求項８】
前記回転清掃装置の上部の下部回転ローラの近傍に自動清掃具を配置し、該自動清掃具により移動する前記ローラシートに付着した水滴やゴミ等を掻き落すことを特徴とする請求項５〜７のいずれかに記載の手乾燥装置。
【請求項９】
前記回転清掃装置の駆動ローラの近傍にドレン水回収容器を配置し、該ドレン水回収容器の側壁により移動する前記ローラシートに付着した水滴やゴミ等を掻き落すことを特徴とする請求項５〜７のいずれかに記載の手乾燥装置。
【請求項１０】
前記ローラシートの表面に撥水性表面処理を施すと共に、裏面に摩擦力の大きい表面処理を施したことを特徴とする請求項１〜８のいずれかに記載の手乾燥装置。
【請求項１１】
前記本体ケースの開口部の近傍に手挿入センサを設け、該手挿入センサが前記手挿入部から手が引き出されたことを感知したときは前記回転清掃装置を作動させることを特徴とする請求項２〜９のいずれかに記載の手乾燥装置。
【発明の詳細な説明】
【技術分野】
【０００１】
本発明は、洗浄後の濡れた手を乾燥させる手乾燥装置に係り、より詳しくは、手乾燥室内のゴミや水滴などを除去して、常に清潔な手乾燥室が得られるようにした手乾燥装置に関するものである。
【背景技術】
【０００２】
従来の手乾燥装置に、乾燥時に手から吹き飛ばされた水の排水口を設けることにより、使用者に跳ね返えるのを防止し、また、排水路などの汚れや雑菌の発生を防止するようにしたものがある（例えば、特許文献１参照）。
【０００３】
また、手乾燥処理室に電気分解で生成されたアルカリ水又は酸性水を噴射することにより、手乾燥処理室を洗浄し殺菌して、手の衛生性を確保するようにしたものがある（例えば、特許文献２参照）。
また、乾燥室に吸気口を設け、この吸気口を手乾燥用気流の吸入側と連通させ、使用者に冷風感を与えず、水を周囲に撒き散らすことのないようにしたものがある（例えば、特許文献３参照）。
【先行技術文献】
【特許文献】
【０００４】
【特許文献１】特許第３９７２３３４号公報（第３−４頁、図１）
【特許文献２】特開２００７−７４６６号公報（第３−５頁、図１）
【特許文献３】特開２００１−１０４２１１号公報（第３−４頁、図１−２）
【発明の概要】
【発明が解決しようとする課題】
【０００５】
特許文献１の手乾燥装置によれば、排水路を設けることにより汚れやゴミを除去することができる。しかし、濡れた手から吹き落された水滴が壁面に付着し、さらにこの付着した水滴にほこりやゴミが堆積する。そして、水滴が乾燥するとほこりやゴミが壁面に付着し、ノズルから吹き出した風の力ではなかなか除去することができない。また、排水口を形成するために手挿入部の下部に遮蔽部が設けられているため、この遮蔽部に大量のゴミや汚れが付着し、堆積してしまうという問題があった。
【０００６】
特許文献２の手乾燥装置は、手乾燥処理室に対して電気分解で生成されたアルカリ水又は酸性水を噴射することにより、手乾燥処理室の衛生性を確保することができる。しかし、このアルカリ水などを壁面に対して噴射しても、付着したゴミ等はなかなか除去できず、特に、噴霧口側の壁面に付着したゴミ等は除去できないという問題があった。
また、特許文献３の手乾燥装置は、水滴の撒き散らしを防止することを目的とするもので、手乾燥室に付着するゴミ等の除去についての対策は考慮されていない。
【０００７】
本発明は、上記の課題を除去するためになされたもので、手乾燥室内にこの手乾燥室の対向する壁面を遮蔽しかつ上下方向に移動するＶ字状のローラシートを設け、濡れた手の乾燥時に飛散した水滴やゴミなどをこのローラシートに付着させて自動的に除去することにより、手乾燥室を常に清潔に保持することのできる手乾燥装置を提供することを目的とするものである。
【課題を解決するための手段】
【０００８】
本発明に係る手乾燥装置は、上部に開口部を有する本体ケース、上部に開口部を有し下部にドレン水回収容器が収容されて前記本体ケース内に設けられた有底の手乾燥室、該手乾燥室の上部と前記本体ケースとの間に設けられ、前記本体ケースに設けた高圧空気流発生手段からの高圧空気気流を噴出する空気吹出し口を有し、前記手乾燥室内に、Ｖ字状に配設されて該手乾燥室の対向する壁面を遮蔽すると共に上下方向に移動するローラシートを設け、該ローラシートの間に形成された手挿入部に挿入した手の乾燥時に飛散した水滴やゴミなどを前記ローラシートに付着させて除去するようにしたものである。
【発明の効果】
【０００９】
本発明によれば、濡れた手の乾燥時に飛散した水滴やゴミなどを、手挿入部の両側にＶ字状に配置されて上下方向に移動するローラシートに付着させ、この付着した水滴やゴミなどを自動的に除去するようにしたので、手乾燥室を常に清潔に保つことができ、使用者が気持ちよく使用することができる。
【図面の簡単な説明】
【００１０】
【図１】本発明の実施の形態１に係る手乾燥装置の説明図である。
【図２】図１の自動清掃具の説明図である。
【図３】実施の形態１の手乾燥装置の作用を説明するためのフローチャートである。
【図４】本発明の実施の形態２に係る手乾燥装置の説明図である。
【図５】図４の回転清掃装置の斜視図である。
【図６】図５の平面図である。
【図７】図４の第１の下部回転ローラの他の例の説明図である。
【図８】図４のローラシートの他の例の説明図及び作用説明図である。
【図９】本発明の実施の形態３に係る手乾燥装置の説明図である。
【図１０】図９の回転清掃装置の平面図である。
【図１１】図９の駆動ローラの周辺の説明図である。
【図１２】図９の駆動ローラの周辺の他の例の説明図である。
【図１３】図１２のドレン水回収容器の説明図である。
【発明を実施するための形態】
【００１１】
［実施の形態１］
本発明の実施の形態１に係る手乾燥装置の説明図である図１において、１は手乾燥装置の本体ケースで、上部には濡れた手３０を挿入する開口部２が設けられており、開口部２の周縁には水の飛散を防止する庇状の飛散防止部３が設けられている。また、本体ケース１内には、上部に本体ケース１の開口部２に対応して開口部６が形成された有底の手乾燥室５が設けられている。なお、以下の説明では、図の左右方向を幅方向、図の垂直方向を奥行方向という。
【００１２】
７は手乾燥室５の下部に設けられた送風機室で、高圧空気流発生手段である送風機８が設置されている。そして、幅方向の本体ケース１と手乾燥室５との間には、下部が送風機室７に連通し、上部が手乾燥室５の開口部６に向って開口する空気吹出し口９に連通する左右対象の風路１０ａ，１０ｂが設けられている。１１は本体ケース１の開口部２の近傍に設けられて手３０の挿入を監視する手挿入センサである。
【００１３】
手乾燥室５内の幅方向には、左右一対のローラシート機構１７ａ，１７ｂからなる回転清掃装置１６が設けられており、ローラシート機構１７ａ，１７ｂの上部には、空気吹出し口９の下方において手乾燥室５の壁面に設けた支持部１９にそれぞれ支持され、図示しない駆動手段により回転駆動される奥行方向に長い駆動ローラ１８が設けられている。
【００１４】
また、下部には、手乾燥装置５の壁面に設けられて、それぞれ図の左右方向に移動可能な支持部２０に、回転自在に支持された駆動ローラ１８と同じ長さの回転ローラ２１が設けられており、駆動ローラ１８と回転ローラ２１との間にはそれぞれこれらローラ１８，２１とほぼ等しい幅でエンドレスのローラシート２２が掛けられている。
【００１５】
回転ローラ２１を支持する支持部２０は、例えば、一端が手乾燥室５の壁面に固定された筒状の支持部２０内にばね２０ａを挿入して一端を固定し、他端に回転ローラ２１を取付けて構成し、このばね２０ａが伸張状態のときは、図示のように、両回転ローラ２１の間に僅かなすき間（開口部）が形成されており、このすき間に大きなゴミなどが侵入したときは、回転ローラ２１が左右方向に移動してすき間を広げ、ゴミなどを通過させて再び元の状態に戻るようになっている。
【００１６】
また、ローラシート２２は、例えば、合成樹脂、紙、ゴム、金属等からなり、必要に応じて撥水性表面処理が施されている。また裏面には駆動ローラ１８に掛けられて移動するため、摩擦力の大きい表面処理が施されている。
そして、一対のローラシート機構１７ａ，１７ｂは、上部（駆動ローラ１８側）の間隔（開口部）が広く、下部（回転ローラ２１側）の間隔（開口部）が狭く、ほぼＶ字状に配置されており、両ローラシート機構１７ａ，１７ｂの間に手挿入部１５が形成されている。
【００１７】
２３は両回転ローラ２１の近傍（外側）に配設された回転ローラ２１とほぼ同じ長さの一対の自動清掃具で、図２に示すように、例えば長手方向に沿ってブラシ２４が設けられており、このブラシ２４が常時回転ローラ２１に掛けられたローラシート２２に摺接するようになっている。
【００１８】
上記のように構成した回転清掃装置１６のローラシート機構１７ａ，１７ｂは、手乾燥室５の幅方向の対向する内壁面のすべてを遮蔽し、そのローラシート２２により手挿入部１５の壁面を形成している。
【００１９】
２５は手乾燥室５の下部に出し入れ可能に設置されて、ゴミやドレン水を溜めるドレン水回収容器、２６はドレン水回収容器２５に設けられて、ゴミやドレン水の溜り状態を監視するドレン水センサである。
【００２０】
次に、上記のように構成した本実施の形態に係る手乾燥装置の作用を、図１〜図３を用いて説明する。
電源をＯＮして開口部２，６から手挿入部１５に手３０が入れられ、手挿入センサ１１がこれを感知すると、送風機８が駆動されて送風機室７内の外気が高圧空気流となり、風路１０ａ，１０ｂを通って空気吹出し口９から噴出し、手挿入部１５に入れられた手３０を乾燥する。このとき、回転清掃装置１６は停止しており、濡れた手から飛散した水滴は手挿入部１５の壁面、つまり、回転清掃装置１６のローラシート２２の表面に付着する。
【００２１】
また、手挿入センサ１１が手挿入部１５から手３０が引き出されたことを感知（無感知）すると回転清掃装置１６が作動し、駆動ローラ１８が駆動されてこれに掛けられたローラシート２２が矢印方向に移動する。このとき、ローラシート２２に付着した水滴や、この水滴に付着したほこりやゴミなどは、ローラシート２２と共に移動し、回転ローラ２１の近傍に設けられてローラシート２２に摺接する自動清掃具２３のブラシ２４によって掻き落される。
【００２２】
そして、ローラシート２２に大きなゴミなどが付着しているときは、回転ローラ２１はこのゴミなどに押されて外方に移動し、すき間を大きくして大きなゴミなどを通過させる。なお、自動清掃装置１６の運転時間は、使用環境等により適宜設定され、設定時間が経過すると送風機８が停止する。
【００２３】
回転清掃装置１６の作動によってローラシート２２から掻き落された水滴やゴミなどは、ドレン水回収容器２５内に落下する。そして、ドレン水回収容器２５が満杯になったことを、ドレン水センサ２６が感知したときは、メンテナンスを喚起する信号を発する。
【００２４】
本実施の形態によれば、回転清掃装置１６を構成する一対のローラシート機構１７ａ，１７ｂにより、手挿入部１５の壁面を形成したので、濡れた手３０を乾燥した際に飛散した水滴などはすべてローラシート２２の表面に付着する。そして、ローラシート２２に付着した水滴やゴミ、ほこりなどを、自動清掃具２３により掻き落して除去するようにしたので、手乾燥装置を常に清潔に保つことができ、使用者が気持ちよく使用することができる。
【００２５】
［実施の形態２］
図４は本発明の実施の形態２に係る手乾燥装置の説明図、図５は図４の回転清掃装置の斜視説明図、図６は図５の平面図である。なお、実施の形態１と同じ部分には、これと同じ符号が付してある。
本実施の形態においては、手乾燥室５ａは下部に平坦な底部を有するほぼＶ字状に形成されており、内部にはほぼＶ字状の回転清掃装置１６ａが設置されている。
【００２６】
この回転清掃装置１６ａには、手乾燥室５ａの開口部６の一方の側の上部において、手乾燥室５の壁面に設けた支持部１９に回転自在に支持され、図示しない駆動手段により回転駆動される奥行方向に長い駆動ローラ１８が設けられており、他方の側の上部には、手乾燥室５ａの壁面に設けた支持部１９に回転自在に支持された、駆動ローラ１８と同じ長さの上部回転ローラ１８ａが設けられている。
【００２７】
また、下部には手乾燥室５ａの底部に立設された支持部２０ａの上部及び下部に、回転自在に支持された第１の下部回転ローラ２１ａと、駆動ローラ１８と同じ長さの第２の下部回転ローラ２１ｂが設けられている。なお、第１の下部回転ローラ２１ａは、図６に示すように、短かく形成された２個のローラを、奥行方向の前後に設けたものである。
【００２８】
そして、これら駆動ローラ１８、回転ローラ１８ａ，２１ａ，２１ｂには、駆動ローラ１８とほぼ同じ幅でエンドレスの１枚のローラシート２２ａが掛けられており、これにより、両側に形成されたローラシート２２ａの壁面の間に、手挿入部１５が形成されている（以下の説明では、第１の下部回転ローラ２１ａとローラシート２２ａとの間に形成された凹部を、谷間という）。なお、この回転清掃装置１６ａは、図５に示すように、奥行方向に向って水平線Ｌに対してθ°上方に傾斜して設置されている。実施例では、この回転清掃装置１６ａの傾斜角度θ°は５〜３０°であった。
【００２９】
２３は第１の下部回転ローラ２１ａの近傍（谷間の上方）において、下降するローラシート２２ａに対向して設けられた自動清掃具、２７は回転清掃装置１６ａの前面側において、第１の下部回転ローラ２１ａに近接して着脱可能に設けられ、上部開口部が前面側の第１の下部回転ローラ２１ａの奥まで延設されたドレン水排水管である。
【００３０】
本実施の形態において、手挿入部１５に手３０が挿入された場合の乾燥作用は実施の形態１の場合とほぼ同様であるが、ローラシート２２ａの下端部が前面側に向って下方に傾斜しているため、ローラシート２２ａ上に落下した水滴の一部は、ローラシート２２ａの凹部に溜り、前面側に移動してドレン水排水管２７に流入し、ドレン水排水管２７に溜った水等は定期的に手動により廃棄される。なお、本体ケース１の底部に出し入れ可能にドレン水回収容器を設け、ドレン水排水管２７に流入した水やゴミなどをこのドレン水回収容器で受けるようにしてもよい。
【００３１】
また、手挿入センサ１１が、手挿入部１５から手３０が引き出されたことを感知（無感知）すると、回転清掃装置１６ａの駆動ローラ１８が駆動され、これに掛けられたローラシート２２ａが矢印方向に移動する。これにより、自動清掃具２３はローラシート２２ａに付着した水滴や、ゴミ、ほこりなどを掻き落し、第１の下部回転ローラ２１ａの間（谷間）に落下させる。そして、この水滴やゴミなどはローラシート２２ａの傾斜面に沿って前面側に移動し、ドレン水排水管２７に落下して溜められる。
【００３２】
ところで、本実施の形態では、回転清掃装置１６ａを奥側方向に向って上方に傾斜させ、ローラシート２２ａに付着した水やゴミなどを、前後の第１の下部回転ローラ２１ａの間（谷間）に落下させて、ドレン水排水管２７に流入させるようにしているが、谷間の前面側に設けた第１の下部回転ローラ２１ａが邪魔になってドレン水排水管２７に円滑に流入しないおそれがある。
【００３３】
そこで、本実施の形態においては、少なくとも前面側の第１の下部回転ローラ２１ａを、図７に示すように、中空に形成してその内壁に、中心部に設けたボス２１ｃから放射状に設けた複数のアーム２１ｄを固定し、アーム２１ｄの間から水やゴミなどを流出させるようにした。
【００３４】
また、図８（ａ）に示すように、ローラシート２２ａの幅方向の前面側を全長にわたって一定の幅で網状に形成し（網状部２２ｂ）、この網状部２２ｂを前面側の第１の下部回転ローラ２１ａより後部側、すなわち、第１の下部回転ローラ２１ａと干渉しない位置に配置するようにしてもよい。
【００３５】
このように構成することにより、図８（ｂ）に示すように、ローラシート２２ａの谷間に落下した水やゴミなどは、第１の下部回転ローラ２１ａに邪魔されることなく、網状部２２ｂからドレン水排水管２７に流入する。この場合、前面側の第１の回転ローラ２１ａは、図５又は図７のどちらを用いてもよい。
【００３６】
本実施の形態においても、実施の形態１の場合とほぼ同様の効果を得ることができるが、さらに、回転清掃装置１６ａの駆動手段は１台でよいので、その分コストを低減することができる。
【００３７】
［実施の形態３］
図９は本発明の実施の形態３に係る手乾燥装置の説明図、図１０は図９の回転清掃装置の平面図、図１１は駆動ローラの周辺の説明図である。なお、実施の形態２と同じ部分には、これと同じ符号が付してある。
本実施の形態は、実施の形態２の手乾燥装置の自動清掃具２３を省略し、回転清掃装置１６ａの駆動ローラ１８に近接してドレン水回収容器２５ａを設置したものである。すなわち、図１０、図１１に示すように、ドレン水回収容器２５ａの側壁の上端部を、駆動ローラ１８に掛けたローラシート２２ａに摺接させて設置したものである。
【００３８】
本実施の形態における手３０の乾燥作用は、実施の形態２の場合と同様である。
一方、手挿入センサ１１が、手挿入部１５から手３０が引き出されたことを感知すると、回転清掃装置１６ａの駆動ローラ１８が駆動され、これに掛けられたローラシート２２ａが矢印方向に移動する。これにより、ローラシート２２ａに付着した水滴やゴミ、ほこりなどはドレン水回収容器２５ａに掻き取られ、容器２５ａ内に落下する。また、ローラシート２２ａに付着した水滴の一部は、第１の下部回転ローラ２１ａの間に落下して、ドレン水排水管２７に回収される。
【００３９】
この場合、図１２、図１３に示すように、ドレン水回収容器２５ａの底部に複数の水抜き穴２５ｂを設けると共に、ドレン水回収容器２５ａのローラシート２２ａに接する側の側壁の上端部の長手方向にブラシ２５ｃを設けて、このブラシ２５ｃを駆動ローラ１８に掛けたローラシート２２ａに摺接させるようにしてもよい。
【００４０】
ドレン水回収容器２５ａを上記のように構成した場合は、手乾燥室５ａの底部に複数の穴５ｂを設け、ドレン水回収容器２５ａの水抜き穴２５ｂから流出し、手乾燥室５ａの内壁に沿って流下した水などが、この穴５ｂからドレン水排水管２７に回収されるようにしてもよい。
本実施の形態においても、実施の形態２の場合とほぼ同様の効果を得ることができる。
【符号の説明】
【００４１】
１  本体ケース、２  開口部、５，５ａ  手乾燥室、６  開口部、８  送風機、９  空気吹出し口、１０ａ，１０ｂ  風路、１１  手挿入センサ、１５  手挿入部、１６，１６ａ  回転清掃装置、１７ａ，１７ｂ  ローラシート機構、１８  駆動ローラ、１８ａ，２１，２１ａ，２１ｂ  回転ローラ、２２，２２ａ  ローラシート、２２ｂ  網状部、２３  自動清掃具、２４，２５ｃ  ブラシ、２５，２５ａ  ドレン水回収容器、２５ｂ  水抜き穴、２６  ドレン水センサ、２７  ドレン水排水管、３０  手。
【図１】
2011167436.tif 000003
【図２】
2011167436.tif 000004
【図３】
2011167436.tif 000005
【図４】
2011167436.tif 000006
【図５】
2011167436.tif 000007
【図６】
2011167436.tif 000008
【図７】
2011167436.tif 000009
【図８】
2011167436.tif 000010
【図９】
2011167436.tif 000011
【図１０】
2011167436.tif 000012
【図１１】
2011167436.tif 000013
【図１２】
2011167436.tif 000014
【図１３】
2011167436.tif 000015